(57)【要約】【課題】使用者がしゃがんでも甲プロテクターの後端が使用者の足首に干渉せず、しかも脛の周長によらず甲プロテクターの位置が定まる作業用靴を提供する。【解決手段】靴底部１１と、靴底部１１から立設され使用者の甲を包むアッパー部１２と、アッパー部１２からさらに立設され使用者の脛を包む筒被１３と、筒被１３を締めて周長を調整する筒ベルト１４と、前端１５ａがアッパー部１２の前部に取付けられ後端１５ｂはアッパー部１２から浮き上がり自在である硬質の甲プロテクター１５と、甲プロテクター１５の後端１５ｂから延び甲プロテクター１５より軟質である帯状の延設体２６と、を備える作業用靴２０であって、延設体２６が筒被１３に外側から重ねられるとともに、さらにその外側から筒ベルト１４が重ねられてなる。【選択図】図１
2016030053.tif 000002
【特許請求の範囲】
【請求項１】
靴底部と、
前記靴底部から立設され使用者の甲を包むアッパー部と、
前記アッパー部からさらに立設され使用者の脛を包む筒被と、
前記筒被を締めて周長を調整する筒ベルトと、
前端が前記アッパー部の前部に取付けられ後端は前記アッパー部から浮き上がり自在である硬質の甲プロテクターと、
前記甲プロテクターの後端から延び前記甲プロテクターより軟質である帯状の延設体と、を備える作業用靴であって、
前記延設体が前記筒被に外側から重ねられるとともに、さらにその外側から前記筒ベルトが重ねられてなることを特徴とする作業用靴。
【請求項２】
前記延設体の上端が前記筒ベルトに重ならずに露出していることを特徴とする請求項１に記載の作業用靴。
【請求項３】
前記延設体の上端が前記筒被の上部に結合されたことを特徴とする請求項１又は２に記載の作業用靴。
【請求項４】
靴底部と、
前記靴底部から立設され使用者の甲を包むアッパー部と、
前部に切開部を形成するように前記アッパー部からさらに立設され使用者の脛を包む平面視略Ｃ字状の筒被と、
前記切開部に内側から重ねられ前記切開部よりも幅広の舌部と、
前記筒被の切開部間において編み上げられ前記筒被の周長を調整する靴紐と、
前端が前記アッパー部の前部に取付けられ後端は前記アッパー部から浮き上がり自在である硬質の甲プロテクターと、
前記甲プロテクターの後端から延び前記甲プロテクターより軟質である帯状の延設体と、を備える作業用靴であって、
前記延設体は、前記舌部と前記編み上げられた靴紐との間に配置され、前記切開部の上部において前記靴紐に固定されてなることを特徴とする作業用靴。
【請求項５】
靴底部と、
前記靴底部から立設され使用者の甲を包むアッパー部と、
前部に切開部を形成するように前記アッパー部からさらに立設され使用者の脛を包む平面視略Ｃ字状の筒被と、
前記切開部に内側から重ねられ前記切開部よりも幅広の舌部と、
前記筒被の切開部間において編み上げられ前記筒被の周長を調整する靴紐と、
前端が前記アッパー部の前部に取付けられ後端は前記アッパー部から浮き上がり自在である硬質の甲プロテクターと、
前記甲プロテクターの後端から延び前記甲プロテクターより軟質である帯状の延設体と、を備える作業用靴であって、
前記延設体は、前記舌部と前記編み上げられた靴紐との間に配置され、上端が前記舌部の上部に結合されてなることを特徴とする作業用靴。
【発明の詳細な説明】
【技術分野】
【０００１】
本発明は、製鉄工程において使用者の足や脛を保護するために使用される作業用靴に関するものである。
【背景技術】
【０００２】
重量物を扱う作業現場において落下物等から使用者の足、特に甲を保護するために、通常の運動靴ではなく専用の作業用靴が使用される。
このような作業用靴としては、爪先から甲を保護するアッパー部に金属板が埋め込まれたものの他に、アッパー部の前部外側に硬質の甲プロテクターが取付けられたものもある（例えば、特許文献１参照）。
【０００３】
この作業用靴は、硬質の甲プロテクターを備えるので、重量物が使用者の甲の上に落ちてもアッパー部が変形し難く、甲を保護することができる。
また、甲プロテクターの前端がアッパー部に取付けられるとともに、甲プロテクターの後端に延設体を備え、その前端と後端のみにおいて甲プロテクターが取付けられているので、使用者が屈伸したときには甲プロテクターが前後に動き、甲プロテクターの後端が使用者の足首前面に食い込んでしまうということも起こり難い。
【０００４】
ここで、製鉄工程等においては、飛んでくるスパッタ（火玉・製鉄溶融材）から使用者の足（くるぶしから下の部分）だけでなく、脛まで広く保護しなければいけないので、特許文献１に記載されたような短靴ではなく、図８に示すような脛を包むように形成される筒被１３を有するブーツタイプの作業用靴１０が使用される。
このブーツタイプの作業用靴１０も、アッパー部１２に甲プロテクター１５を有しており、さらに筒被１３を締めて周長を調整する筒ベルト１４を備える。
【先行技術文献】
【特許文献】
【０００５】
【特許文献１】特開平９−２８９９０２号公報
【発明の概要】
【発明が解決しようとする課題】
【０００６】
しかしながら、図８に示す作業用靴１０は、筒ベルト１４の外側に対して延設体１６の上端が結合されているので、その結合部分が人によっては左右にずれ、それに伴い甲プロテクター１５の位置がずれてしまう。
すなわち、脛の周長は人それぞれで、脛の周長が長い人は筒ベルト１４を締める量が少なく、周長が短い人は筒ベルト１４を締める量が多いので、全ての人にとって、筒ベルト１４に結合された甲プロテクター１５の後端１５ｂが左右中央に位置するものではない。
【０００７】
そこで、本発明の目的とするところは、使用者がしゃがんでも甲プロテクターの後端が使用者の足首に干渉せず、しかも脛の周長によらず甲プロテクターの位置が定まる作業用靴を提供することにある。
【課題を解決するための手段】
【０００８】
上記の目的を達成するために、本発明の請求項１に記載の作業用靴（２０）は、靴底部（１１）と、前記靴底部（１１）から立設され使用者の甲を包むアッパー部（１２）と、前記アッパー部（１２）からさらに立設され使用者の脛を包む筒被（１３）と、前記筒被（１３）を締めて周長を調整する筒ベルト（１４）と、前端（１５ａ）が前記アッパー部（１２）の前部に取付けられ後端（１５ｂ）は前記アッパー部（１２）から浮き上がり自在である硬質の甲プロテクター（１５）と、前記甲プロテクター（１５）の後端（１５ｂ）から延び前記甲プロテクター（１５）より軟質である帯状の延設体（２６）と、を備える作業用靴（２０）であって、前記延設体（２６）が前記筒被（１３）に外側から重ねられるとともに、さらにその外側から前記筒ベルト（１４）が重ねられてなることを特徴とする。
【０００９】
また、請求項２に記載の作業用靴（２０）は、前記延設体（２６）の上端が前記筒ベルト（１４）に重ならずに露出していることを特徴とする。
【００１０】
また、請求項３に記載の作業用靴（２０）は、前記延設体（２６）の上端が前記筒被（１３）の上部に結合されたことを特徴とする。
【００１１】
また、請求項４に記載の作業用靴（２０）は、靴底部（１１）と、前記靴底部（１１）から立設され使用者の甲を包むアッパー部（１２）と、前部に切開部（１３ａ）を形成するように前記アッパー部（１２）からさらに立設され使用者の脛を包む平面視略Ｃ字状の筒被（１３）と、前記切開部（１３ａ）に内側から重ねられ前記切開部（１３ａ）よりも幅広の舌部（２７）と、前記筒被（１３）の切開部（１３ａ）間において編み上げられ前記筒被（１３）の周長を調整する靴紐（２８）と、前端（１５ａ）が前記アッパー部（１２）の前部に取付けられ後端（１５ｂ）は前記アッパー部（１２）から浮き上がり自在である硬質の甲プロテクター（１５）と、前記甲プロテクター（１５）の後端（１５ｂ）から延び前記甲プロテクター（１５）より軟質である帯状の延設体（２６）と、を備える作業用靴（２０）であって、前記延設体（２６）は、前記舌部（２７）と前記編み上げられた靴紐（２８）との間に配置され、前記切開部（１３ａ）の上部において前記靴紐（２８）に固定されてなることを特徴とする。
【００１２】
また、請求項５に記載の作業用靴（２０）は、靴底部（１１）と、前記靴底部（１１）から立設され使用者の甲を包むアッパー部（１２）と、前部に切開部（１３ａ）を形成するように前記アッパー部（１２）からさらに立設され使用者の脛を包む平面視略Ｃ字状の筒被（１３）と、前記切開部（１３ａ）に内側から重ねられ前記切開部（１３ａ）よりも幅広の舌部（２７）と、前記筒被（１３）の切開部（１３ａ）間において編み上げられ前記筒被（１３）の周長を調整する靴紐（２８）と、前端（１５ａ）が前記アッパー部（１２）の前部に取付けられ後端（１５ｂ）は前記アッパー部（１２）から浮き上がり自在である硬質の甲プロテクター（１５）と、前記甲プロテクター（１５）の後端（１５ｂ）から延び前記甲プロテクター（１５）より軟質である帯状の延設体（２６）と、を備える作業用靴（２０）であって、前記延設体（２６）は、前記舌部（２７）と前記編み上げられた靴紐（２８）との間に配置され、上端が前記舌部（２７）の上部に結合されてなることを特徴とする。
【００１３】
なお、ここでいう足とはくるぶしから下の部位を、脛とは膝からくるぶしまでの部位（表側だけでなく裏側のふくらはぎを含む）を、それぞれいう。
【００１４】
ここで、上記括弧内の記号は、図面および後述する発明を実施するための形態に掲載された対応要素または対応事項を示す。
【発明の効果】
【００１５】
本発明の請求項１に記載の作業用靴によれば、硬質の甲プロテクターの前端がアッパー部の前部に取付けられ後端はアッパー部から浮き上がり自在であるので、使用者がしゃがんでも甲プロテクターの後端が浮き上がり使用者の足首に干渉しない。
しかも、延設体が筒被に外側から重ねられるとともに、さらにその外側から筒ベルトが重ねられてなるので、脛の周長によらず甲プロテクターの位置が定まって左右にずれない。
また、延設体が筒ベルトによって筒被に対して仮固定されたような状態となるので、甲プロテクターの後端が自由にパカパカと起倒を繰り返すこともなく、使用者の足首に干渉しない甲プロテクターであっても使用者の邪魔にならない。
さらに、筒ベルトで筒被を締めるので、スパッタが筒被に付着して留まるということが起こり難く、スパッタから脛や筒被を保護することができる。
【００１６】
また、請求項２に記載の作業用靴によれば、請求項１に記載の発明の作用効果に加え、延設体の上端が筒ベルトに重ならずに露出しているので、甲プロテクターの後端が浮いて延設体が甲プロテクターに引っ張られたときに、延設体のその露出した部位を使用者が引っ張ることで、延設体の弛みを取ることができる。
【００１７】
また、請求項３に記載の作業用靴によれば、請求項１又は２に記載の発明の作用効果に加え、延設体の上端が筒被の上部に結合されたので、甲プロテクターの後端が浮き上がったときに延設体が引っ張られ過ぎず、延設体を元の状態に戻し易い。
【００１８】
また、請求項４に記載の発明のように靴紐が編み上げられた作業用靴であっても、使用者がしゃがんでも甲プロテクターの後端が浮き上がり使用者の足首に干渉せず、また脛の周長によらず甲プロテクターの位置が定まり左右にずれない。
【００１９】
また、請求項５に記載の作業用靴によれば、延設体は、舌部と編み上げられた靴紐との間に配置され、上端が舌部の上部に結合されてなるので、使用者の脛の周長にかかわらず延設体を左右中央に配置することができ、延設体が左右にずれない。もちろん、請求項１に記載の発明のように甲プロテクターの後端が使用者の足首に干渉することもない。
【００２０】
なお、本発明の作業用靴のように、延設体が筒被に外側から重ねられその外側から筒ベルトが重ねられてなる点や、延設体が舌部と編み上げられた靴紐の間に配置された点は、上述した特許文献１には全く記載されていない。
【図面の簡単な説明】
【００２１】
【図１】本発明の第一実施形態に係る作業用靴を示す斜視図である。
【図２】図１に示す作業用靴における甲プロテクターの後端が浮き上がった状態を示す斜視図である。
【図３】本発明の他の実施形態に係る作業用靴を示す斜視図である。
【図４】本発明の第二実施形態に係る作業用靴を示す斜視図である。
【図５】本発明の他の実施形態に係る作業用靴を示す斜視図である。
【図６】本発明のさらに他の実施形態に係る作業用靴を示す斜視図である。
【図７】本発明の他の実施形態に係る作業用靴を示す斜視図である。
【図８】従来例に係る作業用靴を示す斜視図である。
【発明を実施するための形態】
【００２２】
（第一実施形態）
図１及び図２を参照して、本発明の第一実施形態に係る作業用靴２０を説明する。
この作業用靴２０は、製鉄工程において使用者の足や脛を保護するための靴であり、靴底部１１と、アッパー部１２と、筒被１３と、筒ベルト１４と、甲プロテクター１５と、延設体２６と、を備えるものである。
従来例で示したものと同一部分には同一符号を付した。
【００２３】
靴底部１１は、屈曲性を有するとともに、裏側は耐滑性に優れるソールパターンになっている。
【００２４】
アッパー部１２は、靴底部１１の外周から上方へ立設され使用者の甲を包む。爪先側は閉じており、一方、踵側上部には使用者の足を挿入するための開口である履き口部が形成されている。なお、履き口部には、後述する筒被１３が一体的に連設されるので、履き口部が露出するものではない。
また、アッパー部１２の先端には、爪先の保護パーツである樹脂製又は鋼製の先芯が入っている。
【００２５】
筒被１３は、アッパー部１２の履き口部からさらに上方に立設され使用者の脛を包む。筒被１３の前部は、筒被１３の周長を調整するための調整部１３ｃになっており、筒被１３の周長を使用者の脛の周長に合わせてフィットさせることができる。この調整部１３ｃは、袋状の舌部であって、筒被１３の前方開放部を舌部の端で縫い止めたものである。
筒被１３の上下方向の長さとしては、使用者が履いたときに筒被１３の上端がくるぶしのすぐ上に位置する物から、膝下に位置する物まで様々である。
【００２６】
筒ベルト１４は、筒被１３を締めて周長を調整する帯体である。筒ベルト１４の一端は左右内側に縫い付けられ、筒ベルト１４の他端は筒被１３前方を横切り左右外側において、裏側に取付けられた面ファスナー（図示しない）を介して固定される。使用者ごとに脛の周長は異なるが、筒ベルト１４が筒被１３を締めることで調整部１３ｃにおいてその脛の周長の個人差を吸収可能である。
また、筒ベルト１４は上下二つ並べられており、特に筒被１３の前面においては二つの筒ベルト１４間に隙間は無い。
【００２７】
甲ベルト１７は、アッパー部１２の上部を締める帯体であり、一端は左右内側に縫い付けられ、他端は左右外側に面ファスナー（図示しない）を介して固定される。
【００２８】
甲プロテクター１５は、その前端１５ａがアッパー部１２の前部に二つの鋲１５ｃで取付けられ、後端１５ｂはアッパー部１２から浮き上がり自在である。アッパー部１２と甲プロテクター１５との関係だけを見ると、甲プロテクター１５はその前端１５ａのみがアッパー部１２に対して固定されている。
そして、甲プロテクター１５の内部には硬質の金属板又は合成樹脂板が入っている。
甲プロテクター１５の長さは、甲プロテクター１５の後端１５ｂが甲ベルト１７の一部と重なるが、筒ベルト１４には全く重ならない長さである。
【００２９】
延設体２６は、甲プロテクター１５より軟質の帯状であり、甲プロテクター１５の後端１５ｂに縫い付けられており、アッパー部１２及び筒被１３に沿って後方及び上方へ延びる。延設体２６の上端は筒被１３の上部に、縫合等によって結合されている。
また、延設体２６の幅は甲プロテクター１５の幅よりも狭い。
そして、甲ベルト１７を締めた状態でその外（上）側から甲プロテクター１５を重ね、延設体２６が筒被１３に外側から重ねられるとともに、さらにその外側から二つの筒ベルト１４が重ねられてなる。
このとき、筒被１３に結合された延設体２６の上端は筒ベルト１４に重ならずに露出している。
【００３０】
ここで、使用者がしゃがんで筒被１３がアッパー部１２に対して前傾するとき等には、図２に示すように甲プロテクター１５の後端が延設体２６の下端とともにアッパー部１２から浮き上がる。図２においては簡単のため、その浮き上がる様子だけを示している。このように、甲プロテクター１５の後端１５ｂに延設体２６が取付けられていても、筒被１３の高さと略等しい長さの延設体２６の上端が筒被１３の上部に取付けられているので、甲プロテクター１５の後端１５ｂが浮き上がり可能な遊びを有している。
【００３１】
以上のように構成された作業用靴２０によれば、硬質の甲プロテクター１５の前端１５ａがアッパー部１２の前部に取付けられ、後端１５ｂはアッパー部１２から浮き上がり自在であるので、使用者がしゃがんでも甲プロテクター１５の後端１５ｂが浮き上がり使用者の足首に干渉しない。
しかも、延設体２６が筒被１３に外側から重ねられるとともに、さらにその外側から筒ベルト１４が重ねられてなるので、脛の周長によらず甲プロテクター１５の位置が定まって左右にずれない。
また、延設体２６が筒ベルト１４によって筒被１３に対して仮固定されたような状態となるので、甲プロテクター１５の後端が自由にパカパカと起倒を繰り返すこともなく、使用者の足首に干渉しない甲プロテクター１５であっても使用者の邪魔にならない。
さらに、筒ベルト１４で筒被１３を締めるので、スパッタが筒被１３に付着して留まるということが起こり難く、スパッタから脛や筒被１３を保護することができる。
【００３２】
また、延設体２６の上端が筒ベルト１４に重ならずに露出しているので、甲プロテクター１５の後端１５ｂが浮いて延設体２６が甲プロテクター１５に引っ張られたときに、延設体２６のその露出した部位を使用者が引っ張ることで、延設体２６の弛みを取ることができる。
さらに、延設体２６の上端が筒被１３の上部に結合されたので、甲プロテクター１５の後端１５ｂが浮き上がったときに延設体２６が引っ張られ過ぎず、延設体２６を元の状態（位置）に戻し易い。
【００３３】
なお、図３に示すように、筒被１３の前部に切開部１３ａを有し、その内側から舌部２７を重ねられる作業用靴２０であってもよい。このとき、延設体２６の上端が舌部２７の上部に対して簡単には離れないように結合されていてもよいし、延設体２６が舌部２７に結合されずに筒ベルト１４と舌部２７との間に配置されるだけであってもよい。
【００３４】
（第二実施形態）
次に図４を参照して、本発明の第二実施形態に係る作業用靴２０を説明する。なお、第一実施形態と同一部分には同一符号を付した。
本実施形態の第一実施形態との違いは、この作業用靴２０が紐靴であることである。
【００３５】
筒被１３は、平面視略Ｃ字状となるように前部に切開部１３ａを形成され、前記アッパー部１２からさらに立設されて使用者の脛を包む。
筒被１３における切開部１３ａ側の縁部には複数のハトメ１３ｂが設けられている。
そして、靴紐２８がハトメ１３ｂに通されて筒被１３の切開部１３ａ間において編み上げられ、靴紐２８の締め具合で筒被１３の周長が調整される。
【００３６】
また延設体２６は、舌部２７と編み上げられた靴紐２８との間に配置され、切開部１３ａの上部において靴紐２８に固定されてなる。
ここでは、延設体２６の上端が環状の挿通部となり、その挿通部に靴紐２８が挿通されることで、延設体２６が靴紐２８に固定される。一方、図５に示すように、延設体２６の上部が舌部２７に貼着されるとともに、その一部が延設体２６と舌部２７によって筒状の挿通部となり（つまり、挿通部の上下の延設体２６が舌部２７に貼着）、その挿通部に靴紐２８が挿通されることで、延設体２６が靴紐２８に固定されてもよい。
【００３７】
このような靴紐２８が編み上げられた作業用靴２０であっても、使用者がしゃがんでも甲プロテクター１５の後端１５ｂが浮き上がり使用者の足首に干渉せず、また脛の周長によらず甲プロテクター１５の位置が定まり左右にずれない。
【００３８】
なお、第一実施形態において、延設体２６の上端が筒ベルト１４に重ならずに露出したとしたが、これに限られるものではなく、延設体２６の上端が筒ベルト１４に重なって隠れてしまってもよい。
【００３９】
また、第二実施形態において、延設体２６の上端が靴紐２８に固定されているとしたが、これに限られるものではなく、図６に示すように延設体２６の上端が舌部２７の上部にのみ結合（縫合又は貼着）されていてもよい。
この場合も、使用者の脛の周長にかかわらず延設体２６を左右中央に配置することができ、延設体２６が左右にずれない。もちろん、他の実施形態に係る作業用靴２０のように甲プロテクター１５の後端１５ｂが使用者の足首に干渉することもない。
【００４０】
さらには、第一及び第二実施形態において、延設体２６は甲プロテクター１５よりも幅狭であるとしたが、これに限られるものではなく、例えば図７に示すように延設体２６と甲プロテクター１５が同じ幅であってもよい。図７では延設体２６と甲プロテクター１５の境目がわかるように記載したが、外観上は延設体２６と甲プロテクター１５を一体物として、甲プロテクター１５に該当する部分にのみ硬質の芯材を入れるようにしてもよい。
【００４１】
また、この作業用靴２０は、製鉄以外の一般工場でも当然に使用できる。
また、靴底部１１は、耐滑性のソールパターンに限られるものではない。
【００４２】
また、甲プロテクター１５のアッパー部１２への固定は鋲１５ｃに限られず、カシメや縫い止めもあり、また縫い止めのみによって固定されてもよい。
【符号の説明】
【００４３】
１０      作業用靴
１１      靴底部
１２      アッパー部
１３      筒被
１３ａ    切開部
１３ｂ    ハトメ
１３ｃ    調整部
１４      筒ベルト
１５      甲プロテクター
１５ａ    前端
１５ｂ    後端
１５ｃ    鋲
１６      延設体
１７      甲ベルト
２０      作業用靴
２６      延設体
２７      舌部
２８      靴紐
【図１】
2016030053.tif 000003
【図２】
2016030053.tif 000004
【図３】
2016030053.tif 000005
【図４】
2016030053.tif 000006
【図５】
2016030053.tif 000007
【図６】
2016030053.tif 000008
【図７】
2016030053.tif 000009
【図８】
2016030053.tif 000010